(57)【要約】【課題】臭気の拡散防止ができ、装・脱着が簡単に行え、サンプリング等の作業も可能な除害ユニットを提供する。【解決手段】ドラム缶Ｃの上面に設置されるフード部２およびフード部２の下端に固定されておりドラム缶Ｃの上端部に外挿される固定部３からなる除害フード１と、フード部２に被せられるカバー４とからなる。フード部２は、天面と側面がパンチングメタルで形成され、下面は開放された有頂筒体であり、引抜き管５および排気管６の挿入孔２３，２４が設けられ、かつ開閉自在な扉１１が設けられている。カバー４は、シート材から形成されたフード部２と同形状の有頂筒体であり、引抜き管５および排気管６の挿入孔４３，４４、および開閉自在な扉４１が設けられている。フード部２にはカバー４が被せられ密閉されているので、貯槽の内容物のドラム缶Ｃに引き抜く際に発生する臭気は外部に拡散しない。【選択図】図１
2009220867.tif 000002
【特許請求の範囲】
【請求項１】
貯槽内の内容物を引抜き管で抜き取って収納容器に移す際に、該内容物から発する臭気を排気管を通して排気して拡散を防止する除害ユニットであって、
前記収納容器の上面に設置されるフード部、および該フード部の下端に固定されており前記収納容器の上端部に外挿される固定部からなる除害フードと、
前記フード部に被せられるカバーとからなり、
前記フード部は、天面と側面が多孔面板で形成され、下面は開放された有頂筒体であり、前記引抜き管および前記排気管の挿入孔が設けられ、かつ開閉自在な扉が設けられており、
前記カバーは、シート材から形成された前記フード部と同形状の有頂筒体であり、前記引抜き管および前記排気管の挿入孔、および開閉自在な扉が設けられている
ことを特徴とする除害ユニット。
【請求項２】
前記フード部の多孔面板は、パンチングメタルである
ことを特徴とする除害ユニット。
【請求項３】
前記固定部は、上部フランジと、下部フランジと、前記上部フランジと前記下部フランジを連結する縦支柱とからなり、
前記上部フランジは、前記収納容器の上面に載せられる直径を有しており、前記下部フランジは前記収納容器の上端部に外挿される内径を有している
ことを特徴とする除害ユニット。
【請求項４】
前記カバーのシート材は、防炎性を有するシートである
ことを特徴とする除害ユニット。
【発明の詳細な説明】
【技術分野】
【０００１】
本発明は、除害ユニットに関する。さらに詳しくは、反応槽やタンクなどの貯槽から内容物をドラム缶等の収納容器に移す際に臭気を伴う有害物質等の拡散を防止する除害ユニットに関する。
【背景技術】
【０００２】
化学工場では種々の貯槽から液体や固体、気体の内容物を引き抜いてドラム缶等の収納容器に移し替える作業がよく行われる。この内容物の引き抜きの際に、臭気や有害物質が拡散することが多いので、局所排気装置や除害ダクトホースで吸引し、臭気の拡散を防止しようとしているが、開放環境で行われるため拡散防止効果は充分ではない。
そのため、作業員は、保護具（有機マスク等）の着用が必須となっている。そして、保護具は、作業員が手に持つか、何らかの方法で固定しなければならないので、作業効率を低下させるものであった。
【０００３】
そこで、保護具を使用しなくとも臭気の拡散を防止できる従来例として、特許文献１の充填治具が提案されている。この従来例を図４に基づき説明する。
この従来装置100は、充填パイプ部材120を介して、原料タンクや反応容器等の貯槽から延びる配管192に接続されており、下方に配置したドラム容器194中に配管192から引出される原料等の液体を収容する。前記配管192は、開閉バルブ192aを備え、ドラム容器194中への液体の抜き取りを開始、停止させることができる。
【０００４】
前記ドラム容器194は、上部に充填用の開口194aを有し、この開口194aには、充填パイプ部材120の先端側を内部に案内する支持パイプ部材130の先端が挿入される。ドラム容器194の開口194aからは、周囲に臭気性のガスが発散するが、この種のガスは、局所排気フード140及びこれから延びるフレキシブル・ホース196を介して、図示を省略するガス処理装置であるエゼクタに排出されるようになっている。
【０００５】
ところが、上記従来例は、ドラム容器194に対し排気フード140は載せているだけであり、しっかり固定されていないので外れやすいという問題がある。また、排気フード140はドラム容器194の直径よりはるかに小さく、これをドラム容器194の開口194aに被せた状態では、サンプリングなどの作業を行うことはできない。
【０００６】
【特許文献１】特開２００３−３１２７９４
【発明の開示】
【発明が解決しようとする課題】
【０００７】
本発明は上記事情に鑑み、臭気の拡散防止ができ、装・脱着が簡単に行え、サンプリング等の作業も可能な除害ユニットを提供することを目的とする。
【課題を解決するための手段】
【０００８】
第１発明の除害ユニットは、貯槽内の内容物を引抜き管で抜き取って収納容器に移す際に、該内容物から発する臭気を排気管を通して排気して拡散を防止する除害ユニットであって、前記収納容器の上面に設置されるフード部、および該フード部の下端に固定されており前記収納容器の上端部に外挿される固定部からなる除害フードと、前記フード部に被せられるカバーとからなり、前記フード部は、天面と側面が多孔面板で形成され、下面は開放された有頂筒体であり、前記引抜き管および前記排気管の挿入孔が設けられ、かつ開閉自在な扉が設けられており、前記カバーは、シート材から形成された前記フード部と同形状の有頂筒体であり、前記引抜き管および前記排気管の挿入孔、および開閉自在な扉が設けられていることを特徴とする。
第２発明の除害ユニットは、前記フード部の多孔面板は、パンチングメタルであことを特徴とする。
第３発明の除害ユニットは、前記固定部は、上部フランジと、下部フランジと、前記上部フランジと前記下部フランジを連結する縦支柱とからなり、前記上部フランジは、前記収納容器の上面に載せられる直径を有しており、前記下部フランジは前記収納容器の上端部に外挿される内径を有していることを特徴とする。
第４発明の除害ユニットは、前記カバーのシート材は、防炎性を有するシートであることを特徴とする。
【発明の効果】
【０００９】
第１発明によれば、収納容器の上端部に除害ユニットの固定部を外挿するとフード部を収納容器の上面に固定できる。そして、フード部にはカバーが被せられ密閉されているので、貯槽内の内容物の収納容器に引き抜く際に発生する臭気は外部に拡散しない。また、その作業中、フード部とカバーの扉を開いてサンプル採取等の作業が可能であるが、扉しか開いていないので臭気の拡散防止効果もほぼ充分である。
第２発明によれば、フード部をパンチングメタルで形成しているので、軽量であり、しかも充分な強度が保たれる。
第３発明によれば、除害ユニットを収納容器の上から被せて降ろしていくと、下部フランジは収納容器の上端部に嵌まり、上部フランジは上面に当って止まるので、その状態でフード部をしっかりと保持することができる。このため、フード部が作業中に外れることもなく確実に臭気の拡散防止ができる。しかも装・脱着は上げ下げすることで行えるので、極めて容易である。
第４発明によれば、カバーに対する引火を防ぐことができるので、危険物取扱い場所での使用も可能となる。
【発明を実施するための最良の形態】
【００１０】
つぎに、本発明の実施形態を図面に基づき説明する。
図１は本発明の一実施形態に係る除害ユニットＡの分解斜視図である。図２は図１に示す除害フード１であって、（Ａ）図は正面図、（Ｂ）図は（Ａ）図のＢ線矢視図、（Ｃ）図は（Ａ）図のＣ線矢視図である。
【００１１】
本実施形態の除害ユニットＡは除害フード１とカバー４からなり、除害フード１はフード部２と固定部３からなる。前記カバー４は、前記フード部２に被せて密閉するための部材である。
【００１２】
まず、除害フード１の詳細を図１および図２に基づき説明する。
前記フード部２は、有頂円筒形の部材であり、その大きさは収納容器として使用されるドラム缶等に合わせたものである。具体的には、円板状の天面２１と円周状に周囲を取り囲む側面２２からなり、いずれも多孔面板で構成されている。多孔面板としては、ＳＵＳ等の鋼製平板から丸形または角形の孔を多数打抜き形成した、いわゆるパンチングメタルが好適に用いられる。このパンチングメタル製のフード部２は、軽量であり、かつ骨組みとしての剛性を維持でき、陰圧となった場合のフード形状を維持できるという利点がある。また、材質にはＳＵＳを用いると、腐食性ガスに対する耐性をもたせることができる。
【００１３】
前記フード部２の天面２１には貯槽から内容物を抜き取るための引抜き管と臭気を排気するための排気管を挿入する挿入孔２３，２４が形成されている。図示の例では、挿入孔２３，２４はパイプで形成しているが、単純に孔をあけ適当なフランジを取付けたものでもよい。なお、挿入孔２３，２４を側面２２に設けてもよい。
【００１４】
また、フード部２の側面２２には、開閉自在な扉１１が設けられている。この扉１１は扉体１２を蝶番１３で開閉自在に取付けたもので、扉体１２には、つまみ１４や自動的に閉止状態に付勢するためのスプリングキャッチ１５などが取付けられる。
図示の扉１１は両開きであるが、片開きでもよく、その大きさは、サンプリング等の作業を行えるものであればよい。また、扉１１の数は１個に限らず、２以上であってもよい。さらに、扉１１を天面２１に設けてもよい。
【００１５】
前記固定部３は、上部フランジ３１と下部フランジ３２とそれらを連結する縦支柱３３を備えている。前記上部フランジ３１は環状の金属板であり、前記フード部２の下端に固定されている。
また、その内径は収納容器となるドラム缶等の外径よりやや小さく、その外径はドラム缶等の外径よりやや大きくなっており、ドラム缶等の上面に載せられるようになっている。なお、この上部フランジ３１には装脱着のための取っ手３４が取付けられている。
【００１６】
前記下部フランジ３２は、その内径がドラム缶の外径よりやや大きく、ドラム缶の上端部に外挿できる大きさとなっている。
そして、この下部フランジ３２は縦支柱３３によって前記上部フランジ３１に連結されている。図示の例では、縦支柱３３は４本であり、断面コ形の部材が用いられているが、これに限るものでなく、３本あるいは５本以上でもよく、また形状も任意であって、上・下部フランジ３１，３２をしっかりと結合できるものであればよい。
【００１７】
前記縦支柱３３のそれぞれには、ナット３５が溶接等で固定され、このナット３５にボルト３６が螺合されている。このボルト３６は、固定部３をドラム缶等に固定すると共に、固定部３の中心とドラム缶の中心を略一致させるアジャスターしての役割も負っている。
【００１８】
つぎに、カバー４を図１に基づき説明する。
このカバー４は可撓性のあるシート材から作られるもので、前記フード部２に被せて用いるものである。したがって、前記フード部２より少し大きいが、同形状の有頂円筒状の部材である。シート材としては、臭気を閉じ込める密閉性を発揮することが必須であり、さらに防炎性を有するものが好ましい。防炎性を有する場合、フード部２に対する引火を防ぎ、危険物取扱い場所内での使用も可能となる。このような密閉性と防炎性を有するシート材としては、塩化ビニールまたはポリエステルなどがある。
【００１９】
前記カバー４は、前記フード部２と同様に、挿入孔４３，４４を有し、扉４１も有している。
ただし、これらは簡略な構造でよく、挿入孔４３，４４は単純な孔であり、扉４１もシート材自体の柔軟性によって開閉できるため蝶番等は用いていない。ただし、開閉を容易にする溝構造や任意の蝶番を用いてもよい。
また、カバー４は透明性のあることが好ましい。透明であると、扉４１，１１以外の部分からフード部２の内部を透視でき、サンプリング作業等を容易に行えるようになる。
【００２０】
つぎに、本発明の除害ユニットＡの使用方法を図３に基づき説明する。
図３は本発明の除害ユニットＡの使用状態説明図である。
同図において、Ｂは反応槽やタンクなどの貯槽、Ｃは貯槽Ｂの内容物を収容する収納容器としてのドラム缶を示している。本発明の除害ユニットＡは、ドラム缶Ｃの上端部に装着される。
装着作業は、作業員が上部フランジ３１の取っ手３４を持って持ち上げ、ドラム缶Ｃの上端部に固定部３を挿入することによって行う。この作業はフード部２も固定部３も軽量に作られていることから容易である。
【００２１】
前記固定部３をドラム缶Ｃの上端部に挿入すると、上部フランジ３１がドラム缶Ｃの上面に当り、下部フランジ３２はドラム缶Ｃの外周に嵌まる。この状態で、フード部２はドラム缶Ｃの上面に安定的に設置され、落下などの不都合は生じない。なお、除害フード１の周方向での向きは、固定部３を回すことで自由に行える。
そして、４本のボルト３６を締め込み量を調整することで、除害フード１の中心とドラム缶Ｃの中心の位置合せが行え、最終的にボルト３６を締め込むと、回動も不動に拘束される。
つぎに、カバー４をフード部２に被せる。あるいは、ドラム缶Ｃに装着する前にカバー４をフード部２に被せておく。そして、貯槽Ｂからの引抜き管５を挿入孔２３を通して、ドラム缶Ｃの注入口（図示しないが公知のものである）に挿入し、排気管６（パイプあるいはホースのいずれでもよい）を挿入孔２４からフード部２内に入れ、他端を図示しない排気装置に接続する。これにより、除害ユニットＡのセットが完了する。
【００２２】
ついで、内容物の引抜き作業に移る。
前記引抜き管５のバルブ７を開くと、貯槽Ｂ内の内容物がドラム缶Ｃ内に移される。このとき内容物の臭気がドラム缶Ｃの開口から発散するが、フード部２内に充満するだけで、カバー４を通して外に臭気が洩れることはない。しかも、排気装置（図示省略）の運転によって、臭気はどんどん吸引されるので、ドラム缶Ｃの周辺では無害となる。
したがって、作業員は有機マスク等の保護具を使用する必要がないので、作業性が向上する。
【００２３】
また、本発明のフード部２とカバー４は共に開閉自在の扉１１，４２を有しているので、これを開いて作業員が手を差し入れ、しかも透明のカバー４と多孔面のフード部２を通して内部を肉眼で確認できるので、サンプリング等の作業が行える。なお、引抜き管５がフード部２内にもバルブを有するタイプであれば、そのバルブ操作も扉１１，４２を通じて行える。
【産業上の利用可能性】
【００２４】
本発明の除害ユニットＡの使用が、とくに好適な内容物としては、トルエン、キシレン、し尿、２−プロペン−１−４オール、クロロギ酸アリル、メルカプトエタノールがある。これらは、貯槽から抜き取る際の臭気が非常に強いので、その拡散防止には産業上の利用性が高い。
【図面の簡単な説明】
【００２５】
【図１】本発明の一実施形態に係る除害ユニットＡの分解斜視図である。
【図２】図１に示す除害フード１であって、（Ａ）図は正面図、（Ｂ）図は（Ａ）図のＢ線矢視図、（Ｃ）図は（Ａ）図のＣ線矢視図である。
【図３】本発明の除害ユニットＡの使用状態説明図である。
【図４】従来装置の正面図である。
【符号の説明】
【００２６】
Ａ    除害ユニット
Ｂ    貯槽
Ｃ    ドラム缶
１    除害フード
２    フード部
３    固定部
４    カバー
１１  扉
２３  挿入孔
２４  挿入孔
３１  上部フランジ
３２  下部フランジ
４１  扉
４３  挿入孔
４４  挿入孔
【図１】
2009220867.tif 000003
【図２】
2009220867.tif 000004
【図３】
2009220867.tif 000005
【図４】
2009220867.tif 000006